(57)【要約】【課題】  データベースに格納されたデータセットを供給する方法および装置を提供する。【解決手段】  データベースに格納された例えばコピー防止されたオーディオＣＤのコンテンツであるデータセットを、このコピー防止されたオーディオＣＤのコンテンツがアクセスできない例えばユーザＰＣに供給するために、このデータセットに割り当てられた複数のシリアルコードのセットのシリアルコードを受け取る工程（Ｓ３）と、上記受け取ったシリアルコードを検証する工程（Ｓ４）と、検証が正しく行われた場合には、この受け取られ且つこのデータベースから検証が正しかったシリアルコードに対応するデータセットにアクセスする工程（Ｓ５，Ｓ６）と、および上記アクセスされたデータの少なくとも一部を出力する工程（Ｓ７）とを実行する。
2005518056.tif 000002
【特許請求の範囲】
【請求項１】
データセットに割り当てられた複数のシリアルコードのセットのシリアルコードを受け取る工程（Ｓ３）と、
この受け取ったシリアルコードを検証する工程（Ｓ４）と、
検証が正しく行なわれた場合に、データベースから受け取り且つ検証が正しかったシリアルコードに対応するデータセットにアクセスする工程（Ｓ５，Ｓ６）と、および
上記アクセスされたデータセットの少なくとも１部分を出力する工程（Ｓ７）と
よりなる工程を有することを特徴とするデータベース（６）に格納されたデータセットの供給方法。
【請求項２】
デジタル権利管理暗号化（Ｓ８）によるデータセットの暗号化を、上記データセットにアクセスする工程（Ｓ５，Ｓ６）の後に又は上記出力する工程（Ｓ７）の前に行うことを特徴とする請求項１に記載のデータセットの供給方法。
【請求項３】
上記デジタル権利管理暗号化（Ｓ８）は、上記データセットに割り当てられたシリアルコードに基づくことを特徴とする請求項２に記載のデータセットの供給方法。
【請求項４】
データベース（６）に格納されたデータの受け取りを希望するユーザは、上記データセットを使用する権利に関する契約を上記データセットの供給者と行った後に、上記シリアルコードを取得することを特徴とする請求項１乃至３のいずれか１項記載のデータセットの供給方法。
【請求項５】
データベース（６）に格納されたデータセットの受け取りを希望するユーザは、データセットの購入時に、データ搬送担体上で上記シリアルコードを取得することを特徴とする請求項１乃至４のいずれか１項記載のデータセットの供給方法。
【請求項６】
上記シリアルコードは、上記データセットを格納する唯一のデータ搬送担体（１）に割り当てられ且つシリアルコードのセットが、それと同じデータセットを格納する全てのデータ搬送担体の全て又は所定の一部に割り当てられていることを特徴とする請求項５に記載のデータセットの供給方法。
【請求項７】
上記シリアルコードは、上記データ搬送担体（１）のデータとして格納されていることを特徴とする請求項５又は６に記載のデータセットの供給方法。
【請求項８】
上記シリアルコードを上記データ搬送担体（１）のケース上および／又は上記データ搬送担体（１）と共に配布される説明書で供給することにより、上記データ搬送担体（１）と関連付けられていることを特徴とする請求範囲５乃至７のいずれか１項に記載のデータセットの供給方法。
【請求項９】
上記データ搬送担体（１）は、上記データ搬送担体から上記データセットがコピー防止されていることを特徴とする請求項５乃至８のいずれか１項に記載のデータセットの供給方法。
【請求項１０】
受け取ったシリアルコードの検証工程は、上記シリアルコードが、シリアルコードの構成の一般的なルールに照らして有効である場合に、正しい検証であると決定する工程を有することを特徴とする請求項１乃至９のいずれか１項に記載のデータセットの供給方法。
【請求項１１】
受け取ったシリアルコードの検証工程は、上記データセットがダウンロードされ且つそのシリアルコードがデータ読み出しのために無効とされていないとき、正しい検証と決定する工程を有することを特徴とする請求項１乃至１０のいずれか１項に記載のデータセットの供給方法。
【請求項１２】
関連するデータセットが最初の所定回数、ダウンロードとして出力された場合に、シリアルコードは、データ読み出しのために無効とされることを特徴とする請求項１乃至１１のいずれか１項に記載のデータセットの供給方法。
【請求項１３】
関連するデータセットが２回目の所定回数のストリーミングとして出力された場合に、シリアルコードは、データ読み出しのために無効とされることを特徴とする請求項１乃至１２のいずれか１項に記載のデータセットの供給方法。
【請求項１４】
上記データベース（６）は、リモートアクセス可能であることを特徴とする請求項１乃至１３のいずれか１項に記載のデータセットの供給方法。
【請求項１５】
上記データベース（６）は、インターネット又はその他のネットワークを介してアクセス可能であることを特徴とする請求項１乃至１４のいずれか１項に記載のデータセットの供給方法。
【請求項１６】
上記シリアルコードは、所定桁数の英数字コードであることを特徴とする請求項１乃至１５のいずれか１項に記載のデータセットの供給方法。
【請求項１７】
上記シリアルコードは、例えばバーコードであるコンピュータ読取可能なコードより構成されることを特徴とする請求項１乃至１６のいずれか１項に記載のデータセットの供給方法。
【請求項１８】
上記データセットは、ビデオおよび／又はオーディオデータにより構成されることを特徴とする請求項１乃至１７のいずれか１項に記載のデータセットの供給方法。
【請求項１９】
コンピュータ、デジタル信号プロセッサ等により実行されるとき、請求項１乃至１８のいずれか１項の方法の工程を実行するようにされたコンピュータプログラム手段により構成されるコンピュータプログラム製品。
【請求項２０】
請求項１９に記載のコンピュータプログラム製品を格納する格納媒体。
【請求項２１】
データセットに割り当てられたシリアルコードのセットの１つのシリアルコードを受け取るシリアルコード受け取り手段（３）と、
この受け取ったシリアルコードを検証する検証手段（４）と、
検証が正しく行なわれた場合に、この受け取り且つ検証が正しかったデータベースからのシリアルコードに対応するデータセットにアクセスするアクセス手段（５）と、および
このアクセスされたデータセットの少なくとも１部を出力する出力手段（７）と
により構成されることを特徴とするデータセットを格納するデータベース（６）よりなるデータセット供給装置。
【請求項２２】
デジタル権利管理暗号化でそのデータセットの暗号化手段（８）は、上記データセットへのアクセス後又はその出力前に行うことを特徴とする請求項２１に記載のデータセット供給装置。
【請求項２３】
上記デジタル権利管理暗号化は、データセットに割り当てられたシリアルコードに基づくことを特徴とする請求項２２に記載のデータセット供給装置。
【請求項２４】
上記シリアルコードは、上記データセットを格納する唯一のデータ搬送担体（１）に割り当てられ且つシリアルコードのセットが、それと同じデータセットを格納する全てのデータ搬送担体の全て又は所定の一部に割り当てられていることを特徴とする請求項２１乃至２３のいずれか１項に記載のデータセット供給装置。
【請求項２５】
上記検証手段（４）は、上記シリアルコードが、シリアルコードの構成の一般的なルールに照らして有効である場合に、正しい検証であると決定することを特徴とする請求項２１乃至２４のいずれか１項に記載のデータセット供給装置。
【請求項２６】
上記検証手段（４）は、上記データセットがダウンロードされ且つそのシリアルコードがデータ読み出しのために無効とされていないとき、正しい検証と決定する工程から構成されることを特徴とする請求項２１乃至２５のいずれか１項に記載のデータセット供給装置。
【請求項２７】
上記検証手段（４）は、関連するデータセットが最初の所定回数、ダウンロードとして出力された場合に、シリアルコードは、データ読み出しのために無効とすることを特徴とする請求項２１乃至２６のいずれか１項に記載のデータセット供給装置。
【請求項２８】
上記検証手段（４）は、関連するデータセットが２回目の所定回数のストリーミングとして出力された場合に、シリアルコードをデータ読み出しのために無効とすることを特徴とする請求項２１乃至２７のいずれか１項に記載のデータセット供給装置。
【請求項２９】
リモートアクセス可能であることを特徴とする請求項２１乃至２８のいずれか１項に記載のデータセット供給装置。
【請求項３０】
インターネット又はその他のネットワークを介してアクセス可能であることを特徴とする請求項２１乃至２８のいずれか１項に記載のデータセット供給装置。
【請求項３１】
上記シリアルコードは、所定桁数の英数字コードであることを特徴とする請求項２１乃至３０のいずれか１項に記載のデータセット供給装置。
【請求項３２】
上記シリアルコードは、例えばバーコードであるコンピュータ読取可能なコードより構成されることを特徴とする請求項２１乃至３１のいずれか１項に記載のデータセット供給装置。
【請求項３３】
上記データセットは、ビデオおよび／又はオーディオデータにより構成されることを特徴とする請求項２１乃至３２のいずれか１項に記載のデータセット供給装置。
【請求項３４】
当該データ搬送担体に格納されたデータセットのコピー防止を含み、
上記データセットに関するシリアル化を特徴とするデータ搬送担体。
【請求項３５】
当該データ搬送担体は、コンピュータにより読み取り不能であることを特徴とする請求項３４に記載のデータ搬送担体。
【請求項３６】
当該データ搬送担体は、ＣＤ又はＤＶＤであることを特徴とする請求項３４又は３５に記載のデータ搬送担体。
【発明の詳細な説明】
【技術分野】
【０００１】
本発明はデータベースに格納されたデータセットの供給方法および対応するデータセット供給装置並びにその方法および装置に関連するデータ搬送担体に関する。
【０００２】
特に、本発明は、データベースを介してデータセットを供給する方法に関し、このデータセットは、例えばコピー防止されたオーディオ・コンパクトディスク（ＣＤ）又はコピー防止されたデジタル多用途ディスク（ＤＶＤ）に格納されたオーディオ／ビデオデータであり、通常コピー防止されたデータ搬送担体に格納されユーザに配布される。
【背景技術】
【０００３】
殆どのパーソナルコンピュータは、既に記録用ハードウエアおよびソフトウエアが搭載され、記録可能なコンパクトディスク（ＣＤ−Ｒ）又は記録可能なデジタル多用途ディスク（ＤＶＤ−Ｒ）に音楽および／又はビデオを容易に記録可能にしている。この２〜３年内に、単一の音源サウンド搬送担体から行われるコピー数は急激に増加している。従って、音楽およびビデオ業界は、自分達の音楽およびビデオＣＤおよびＤＶＤを違法コピー及び著作権侵害を防止する異なる解決策を探っている。
【０００４】
これらのコピー防止解決策により、コピー防止された記録搬送担体をＣＤオーディオプレーヤ、自動車用ハイファイシステム、プレイステーション（商標）およびＰＳ２（商標）の如きゲームコンソール、ＤＶＤプレーヤおよびＳＡＣＤプレーヤ上で通常のプレイを可能にする。
【発明の開示】
【発明が解決しようとする課題】
【０００５】
しかし、特殊署名の使用により、再生およびパーソナルコンピュータ上でのコピーを防止し、強固なコピー防止を提供する。この特殊署名は、アーティストによるオリジナルレコーディングの品質を保護するためにオーディオ／ビデオデータストリームの１ビットたりとも変更せず、また内蔵する訂正不可能な誤りを認めない、例えばＣＤにおけるRed-Book（レッドブック）の如く、それぞれの規格に適合するよう設計されなければならない。
【０００６】
しかし、このようなコピー防止されたＣＤやＤＶＤは、ＰＣ上で再生できないという事実により、このような記録搬送担体を購入した顧客は、これらのレコードメディアが自分のＰＣやラップトップコンピュータ上で使用できないので、それらの再生可能性が制限されると感じる。従って、本発明の目的は、コピー防止された記録媒体が読み取れないＰＣやラップトップコンピュータ上にユーザがインストールすることを可能にするこのようなコンテンツ、即ちデータセットを提供することである。
【課題を解決するための手段】
【０００７】
本発明の目的は、独立した請求項１に規定された本発明によるデータベースに格納されたデータセットを供給する方法、独立した請求項２１に規定された本発明によるデータセット供給装置および独立請求項３４に規定された本発明によるデータ搬送担体により達成される。これらの好適実施形態は、それぞれに従属する請求項に規定されている。本発明によるコンピュータプログラムプロダクトは、請求項１９に規定され、また本発明によるコンピュータプログラムプロダクトを格納する記憶媒体は、請求項２０に規定されている。
【０００８】
本発明の主要な特徴は、各データセット、例えばオーディオＣＤ又はＤＶＤのコンテンツは、割り当てられた少なくとも１つのシリアルコードを得て、これにより検証の後、そのデータセットはデータベースから顧客に供給され得る。そこで、本発明によると、個別にコピー防止されたオーディオＣＤには、個別のシリアルコードが与えられる。これは、通常記録搬送担体上、ＣＤと共に供給されるブックレットの内側、又はその裏側にある固有な英数字であり、これとシリアルコードにより、特定のオーディオＣＤがユーザのＰＣにダウンロードされ得る。ここで、シリアルコードは、それにアサインされて、特定のデータセットに対するポインタとしての機能を備える。このデータベースは、付加的にパスワード等によるアクセス制限により安全とされ得る。記録搬送担体には、キーもまたデータとして格納可能であり、この場合には、各ＣＤを対応する指定ＣＤプレーヤ又はＰＣ又はラップトップの如きコンピュータに挿入後、対応するデータの自動アクセス、例えばストリーミング又はダウンロードが可能になる。本発明におけるデータセットは、ＣＤの完全なオーディオコンテンツ又はＤＶＤの完全なオーディオ／ビデオコンテンツ、即ち記録媒体の所定コンテンツを示す固定データ量であり得る。
【０００９】
本発明によるデータベースに格納されたデータセットの供給方法は、次の工程を有する：
‐このデータセットに割り当てられた複数のシリアルコードのセットのシリアルコードを受け取る工程、
‐この受け取ったシリアルコードを検証する工程、
‐検証が正しく行なわれた場合に、データベースから受け取り且つ検証が正しかったシリアルコードに対応するデータセットにアクセスする工程、および
‐そのアクセスされたデータセットの少なくとも１部分を出力する工程。
【００１０】
これに関連して、本発明によるデータセットを格納するデータベースよりなるデータセット供給装置は、次の付加的手段により構成される：
‐そのデータセットに割り当てられたシリアルコードのセットの１つのシリアルコードを受け取るシリアルコード受け取り手段、
‐この受け取ったシリアルコードを検証する検証手段、
‐検証が正しく行なわれた場合に、この受け取り且つ検証が正しかったデータベースからのシリアルコードに対応するデータセットにアクセスするアクセス手段、および
‐このアクセスされたデータセットの少なくとも１部を出力する出力手段。
【００１１】
最後に、本発明によるデータ搬送担体に格納されたデータセットのコピー防止をするデータ搬送担体は、このデータ搬送担体に格納されたデータセットに関連しシリアル化機器を備えている。
【００１２】
ここで、本発明によると、固有なシリアルコードは、唯一の個別記録搬送担体に関連付けられ、即ちその個別記録搬送担体に格納されたデータセットに割り当てられる。同じタイプ、即ち同じデータセットを格納する他の全ての記録搬送担体は、それぞれ割り当てられたシリアルコードのセットの他のシリアルコードを有し、そのシリアルコードのセットは、同じタイプの全ての記録搬送担体の全て又は所定部分に割り当て可能である。換言すると、コピー防止されたオーディオＣＤを買い求める顧客は、そのオーディオＣＤと共に固有なシリアルコードを受け取り、このシリアルコードはＣＤに記録されたオーディオデータに割り当てられている。同じコンテンツを有するコピー防止された他のオーディオＣＤを買い求める他の顧客は、同じオーディオデータに関連する他のシリアルコードを受け取る。シリアルコードを有することにより、顧客は、関連するデータセット、例えばＣＤのオーディオコンテンツの全て又は選択されたその一部、例えば選択されたトラックのみをダウンロード可能である。付加的データ、例えば記録搬送担体、例えばオーディオＣＤには含まれていないボーナストラックに付加的にユーザがアクセスすることも可能である。この付加的なアクセスは、例えば最初のアクセス又は所定のアクセスタイプ（例えばストリーミング又はダウンロード）等の特別の制約を付してもよい。
【００１３】
更に、本発明によるデータセット供給装置が、例えばインターネットサーバから、例えばユーザインタフェースを介してこのシリアルコードを受け取った後に、検証を行い且つこのシリアルコードの検証が正しく行なわれた場合に、対応するデータセット、即ちそのシリアルコードが割り当てられたオーディオデータがユーザに出力される。
【００１４】
手順を記録し且つ対応するデータセットを所定回数、例えば１回のみ供給することが可能である。また、ダウンロード、即ち供給されたデータセットをユーザサイドで格納することおよびストリーミング、即ち単なる出力であり供給されるデータセットの格納をユーザサイドで行わないこととの間の区別を行い、ストリーミングは常時許可するのに対してダウンロードは所定回数、例えば１回のみ許可してもよい。この場合には、本発明によるデータセット供給装置は、付加的に記録手段を備え、ユーザのシリアルコードを監視して対応するデータセットへのアクセスを、例えば検証に作用させて制限することが可能である。
【００１５】
本発明による方法の好ましい実施例において、デジタル権利管理暗号化によるデータセットの暗号化を、例えばそのデータセットへのアクセス後又はその出力前に行う。
【００１６】
同様に、本発明の好ましい実施例によるデータセット供給装置は、データセットのアクセス後又はその出力前に、デジタル権利管理暗号化でデータセットを暗号化する暗号化手段を付加的に備えている。
【００１７】
この場合には、このデジタル権利管理暗号化は、そのデータセットに割り当てられたシリアルコードに基づくものでもよい。
【００１８】
更に後述する如く、デジタル権利管理暗号化は、ＰＣにインストール又はコピーされたデータが所定回数、例えば１回のみ供給される復号化キーによってのみ適正にアクセス可能にしてデータを保護するシステムである。換言すると、ユーザのＰＣにダウンロードされ且つ適切な復号化キーをも受けたオーディオＣＤのコンテンツは、ダウンロードされたオーディオデータを受け且つその復号化キーが他のＰＣユーザに供給されない限り、その特定のユーザのＰＣ上のみで再生可能である。
【００１９】
本発明によるデータセット供給方法および／又は装置において、そのデータベースに格納されたデータの受け取りを希望するユーザは、そのデータセットを使用する権利に関する契約をそのデータセットの供給者と行った後に、そのシリアルコードを取得する。
【００２０】
これに代わり又は付加的に、本発明によるデータセット供給方法および／又は装置において、データベースに格納されたそのデータセットの受け取りを希望するユーザは、データセットの購入時に、データ搬送担体上でそのシリアルコードを得るようにしてもよい。
【００２１】
後者の場合には、上記シリアルコードは、上記データセットを格納する唯一のデータ搬送担体に割り当てられ且つシリアルコードのセットが、それと同じデータセットを格納する全てのデータ搬送担体の全て又は所定の一部に割り当てられている。
【００２２】
後者の場合には、これに代わり又は付加的に、上記シリアルコードは、そのデータ搬送担体のデータとして格納されてもよい。
【００２３】
後者の場合には、更に、これに代わり又は付加的に、上記シリアルコードをそのデータ搬送担体のケース上および／又はそのデータ搬送担体と共に配布される説明書で供給することにより、上記データ搬送担体と関連付けてもよい。
【００２４】
後者の場合には、更に又、これに代わり又は付加的に、上記データ搬送担体は、そのデータ搬送担体からそのデータセットがコピー防止される。
【００２５】
本発明による方法において、受け取ったシリアルコードの検証工程は、次の工程を有する：
‐上記シリアルコードが、シリアルコードの構成の一般的なルールに照らして有効である場合に、正しい検証であると決定する工程。
【００２６】
本発明による方法において、受け取ったシリアルコードの検証工程は、これに代わり又は付加的に、次の工程を有する：
‐上記データセットがダウンロードされ且つ上記シリアルコードがデータ読み出しのために無効とされていないとき、正しい検証と決定する工程。
【００２７】
本発明による方法において、関連するデータセットが最初の所定回数、ダウンロードとして出力された場合に、シリアルコードは、データ読み出しのために無効とされ得る。
【００２８】
これに代わり又は付加的に、本発明による方法において、関連するデータセットが２回目の所定回数のストリーミングとして出力された場合に、シリアルコードは、データ読み出しのために無効とされ得る。
【００２９】
同様に、本発明によるデータセット供給装置において、これら検証および／又は無効化工程は、検証手段により実行してもよい。
【００３０】
本発明による方法において、このデータベースは、リモートアクセス可能にしてもよい。
【００３１】
本発明による方法において、このデータベースは、インターネット又はその他のネットワークを介してアクセス可能にしてもよい。
【００３２】
同様に、本発明によるデータセット供給装置は、例えばインターネット又はその他のネットワークを介してリモートアクセス可能である。上述の如く、本発明によるデータセット供給装置は、インターネットサーバとして実現可能である。
【００３３】
本発明によるデータセット供給方法および／又は装置において、このシリアルコードは、所定桁数の英数字コードでもよい。
【００３４】
これに代わり又は付加的に、本発明によるデータセット供給方法／又は装置において、このシリアルコードは、例えばバーコードであるコンピュータ読取可能なコードより構成されてもよい。
【００３５】
本発明によるデータセット供給方法および／又は装置において、このデータセットは、ビデオおよび／又はオーディオデータにより構成されてもよい。
【００３６】
本発明によるコンピュータプログラム製品は、上述の如く、コンピュータ、デジタル信号プロセッサ等により実行されるとき、それらの方法の工程を実行するようにされたコンピュータプログラム手段により構成される。
【００３７】
本発明による格納媒体は、本発明によるコンピュータプログラムプロダクトを格納する。
【００３８】
本発明によるデータ搬送担体は、コンピュータにより読み取り不能であってもよい。
【００３９】
これに代り又は付加的に、本発明によるデータ搬送担体は、ＣＤ又はＤＶＤであってもよい。
【発明を実施するための最良の形態】
【００４０】
本発明による方法、装置およびデータ搬送担体の更なる目的、特徴および効果は、添付された以下の図面を参照する本発明による例示的な実施例に基づいて、以下に説明される。
【００４１】
図１に示される以下に説明される好ましい実施例は、オーディオコピー管理システムであり、ＣＤからＣＤ−Ｒへコピーする内部海賊行為を防止するように設計されている。
【００４２】
本願出願人によるＰＣＴ国際特許出願ＰＣＴ／ＥＰ０１／０２６３３に開示され、本願に参考として組み入れられる。ここに応用されるコピー防止案の主要な利点は、最高度のコピー防止効率と共に既存のオーディオＣＤプレーヤ、自動車用ハイファイシステム、ＤＶＤビデオプレーヤ、スーパーオーディオＣＤプレーヤおよびプレイステーション（商標）およびプレイステーション２（商標）コンソール等のゲームコンソールと完全にコンパティブルである。
【００４３】
このシステムの効率に関する広範なテストの結果、ＣＤ−ＲＯＭ／ＤＶＤドライブの９０％が保護されたＣＤを読み取れないとし、従ってオーディオＣＤは、全体をコピーされることもなく、且つ一部の曲をコピーされることもない。他方、オーディオ部分は、Red Book規格に完全に準拠し、即ちオーディオデータが１ビットたりとも変更されず、従って訂正不能なエラーがオーディオデータの保護に使用されないことを意味する。これは、保護された音楽に対して最高度のオーディオ品質を与える。
【００４４】
更に、本発明による方法、装置および記録搬送担体は、インターネットダウンロード又はストリーミングソリューションを介してコピー防止された記録搬送担体にレコードされたデータをコンピュータ上で完全に再生可能にする。このソリューションは、好適実施例では、また図１に関連して後述する如く、デジタル権利管理により違法コピーに対して保護されている。
【００４５】
内部に格納されたオーディオデータのコピー防止を備えるオーディオＣＤ１の如き本発明によるデータ搬送担体は、内部に格納されるオーディオデータに関連するシリアル化を備えている。図１で示す例において、このシリアル化は、固有なシリアルコード、即ちその特定のオーディオＣＤの特定のオーディオデータに関連して１度のみのシリアルコードである。換言すると、同じオーディオデータよりなる他のオーディオＣＤは、同じシリアルコードを持ち得ない。図１のシリアルコードは、９桁のコードであり、それぞれ３桁の３つのパケットに分割され、これをＫＫ２−ＰＫ４−ＬＭＳとする。
【００４６】
ユーザがオーディオＣＤ１に有するオーディオデータをユーザＰＣ２へ転送したい場合には、この特定のオーディオＣＤ１上の特定のオーディオデータに関連するシリアルコードＫＫ２−ＰＫ４−ＬＭＳは、ステップＳ１において、例えばインターネットブラウザ内のユーザＰＣ２に入力される。その後、このシリアルコードは、ステップＳ２において、ユーザＰＣ２から本発明によるデータセット供給装置９、例えばインターネットサーバへ転送される。
【００４７】
データセット供給装置９は、ステップＳ３においてシリアルコードをシリアルコード受け取り手段３で受け取る。シリアルコードは、特定のオーディオデータに割り当てられたシリアルコードのセットの１つであってもよく、この特定のオーディオデータを格納する各特定オーディオＣＤは、異なる固有なシリアルコードおよび同じオーディオデータに関連するが異なるオーディオＣＤに関連する全てのシリアルコード又は全てのシリアルコードの特定部分を有し、シリアルコードのセットをなす。
【００４８】
ステップＳ３において受け取ったシリアルコードは、ステップＳ４において検証手段４により検証される。この検証が否定的、即ちこのシリアルコードが無効であれば、プロセスは、ステップＳ９へ進み、停止する。これは、ステップＳ１において入力され且つステップＳ２においてデータセット供給装置９に転送されたシリアルコードが無効であったので、このオーディオデータはユーザには転送されないことを意味する。
【００４９】
シリアルコードの無効は、不正なシリアルコード構成、例えば異なる桁数、割り当てられたシリアルコードでない、既にディセーブルされたシリアルコード、シリアルコードの設計ルールに反する等の場合に行われる。
【００５０】
検証結果が正しく行なわれた場合には、ステップＳ５へ進み、そこでアクセス手段５が、ステップＳ６において要求されたオーディオデータをデータベース６からアクセス手段５へ供給する。アクセスされたデータは、出力手段７に渡され、この出力手段７は、ステップＳ７において入力シリアルコードに対応するオーディオデータを出力する。好ましい実施例では、アクセスされたデータの暗号化が、そのデータがアクセスされた後又はそれが出力される前に、暗号化手段８によりステップＳ８において行われる。
【００５１】
この出力データは、ステップＳ１０においてユーザＰＣ２へダウンロードとして転送される。これに代えて、出力データは、ストリーミングとしてユーザＰＣ２へ供給されてもよく、その場合には、アクセスされたデータの暗号化は、このストリーミングされたオーディオデータを再生するために使用されるユーザＰＣ２に搭載された音楽プレーヤによっては不要であるかも知れない。
【００５２】
ダウンロードされたオーディオデータをユーザがユーザＰＣ２で再生したいと希望する場合には、以下に説明するデジタル権利管理システムは、転送されたオーディオデータを違法コピーおよび配布できないようにする。ダウンロードされたオーディオデータに対応する音楽を再生する要求（リクエスト）が、ユーザからユーザＰＣ２内にインストールされた再生プログラムに発行されると、このプログラムは、復号化キーを捜し、この暗号化されダウンロードされたオーディオデータをステップＳ１１において復号する。この復号化キーは、対応するオーディオデータを特定のユーザＰＣ２上で再生するライセンス（実施権）に対応する。暗号化キーがユーザＰＣ２内に存在する場合には、オーディオデータは、ステップＳ１２において再生される。
【００５３】
特定のオーディオデータに対する暗号化キーがユーザＰＣ２上にない場合には、デジタル権利管理サーバに対して暗号化キーの提供の要求を発行する。この要求は、インターネットを介して発行可能である。デジタル権利管理サーバは、ステップＳ１３においてこの特定のオーディオデータに対するライセンス番号が発行されたか否かチェックする。例えば、オーディオＣＤに対しては、唯一のライセンス番号が発行可能である。
【００５４】
まだライセンス番号が発行可能である場合、例えばライセンス番号が未発行の場合には、ユーザＰＣ２にそれを転送し、それにインストールされ、そしてオーディオデータがステップＳ１５において再生される。特定のオーディオデータに対して発行されるライセンス数が限界に達した場合には、工程はステップＳ１４において停止し、ライセンス番号がユーザＰＣ２上にはインストールされない。この場合には、このオーディオデータをユーザＰＣ２で再生不可能である。
【００５５】
デジタル権利管理サーバは、データセット供給装置９内、例えば同じインターネットポータル又は同じインターネットサーバ上に含み得る。
【００５６】
本発明によるここに説明されたオンラインソリューションにより、ＣＤ所有者がコピー防止されたオーディオＣＤ１上の音楽トラックをダウンロード又はストリーミング可能にする。
【００５７】
また、このシステムは、シームレスでアーティストのウエブサイトに一体化してもよく、そうすることにより、特別な音楽ポータルと見られる必要がなくなる。
【００５８】
オンライン音楽交換ポータル等とファイルの供給化を防止するために、一般に音楽ファイルは、ここに説明したコピー防止システムに供給される。
【００５９】
本発明による各コピー防止されたオーディオＣＤ１は、例えばブックレットの内側又はその裏側の固有な英数字番号であるシリアルコード付で供給される。このシリアルコードは、オーディオＣＤ毎に異なる９桁の数字および文字の組合せにより構成し得る。
【００６０】
コピー防止されたオーディオＣＤ１の購入者は、このコードの入力後に、それぞれの音楽トラックをアーティストのウエブサイト又は特殊音楽ポータルからダウンロード又はストリーミング可能である。
【００６１】
このシリアルコードは、その有効性がチェックされ且つ手順は記録してもよい。よって、このコピー防止されたオーディオＣＤ１のオリジン（源）は、理論的にはその製造工程まで追跡可能である。
【００６２】
ここで説明したオンラインソリューションにより、トラック状につなぎ合わせたダウンロード又はストリーミングを提供する。
【００６３】
ダウンロード時に、音楽ファイルが一度顧客のハードディスクへ送信され且つそこからダウンロードが完了した後に再生可能である。デジタル権利管理システム、例えばここに説明したオンラインコピー防止システムは、音楽ファイルが第三者又は違法なユーザに使用されないようにする。
【００６４】
ストリーミング時には、音楽ファイルは、（ダウンロードの場合と異なり）、顧客のハードディスクには格納されない。データストリームは、記録されないが、しかしコンピュータにより直接再生される。この方法の利点は、伝送の最初の時点から再生できることである。
【００６５】
ストリーミングは、ダウンロードに比較して現在インターネットにおいて大きな役割を果たしていないが、定額料金およびブロードバンドインターネットの使用が増加するにつれて益々重要になっている。
【００６６】
ストリーミングの他の利点は、顧客のインターネット接続速度に適合する能力（シュアストリーム）にある。従って、極めて遅いインターネット接続のユーザでも、（オーディオ品質は低いが）音楽ファイルを中断することなく流すことが可能である。
【００６７】
一般に、利用可能なあらゆるファイルフォーマット、例えばWindows Media（商標）およびReal Audio（商標）がこのシステムと共にストリーミング又はダウンロードに使用可能である。
【００６８】
Windows Media（商標）は、ＭＰ３と類似するが、圧縮率が高く且つそれに加えてデジタル権利基準が一体化されている。Real Media（商標）は、現時点で最も一般的なストリーミングソリューションである。
【００６９】
両フォーマット共に低い帯域要求で良好な品質を提供し且つアップル社のＭＡＣおよびＰＣMS-Windowsシステムと共に使用可能である。
【００７０】
マイクロソフト社のWindows Media Player（商標）は、ストリーミングおよびダウンロードに使用可能である。それは、ＭＡＣ又はマイクロソフトオペレーティングシステムで使用可能である。
【００７１】
Real Player（商標）が音楽ファイルのストリーミングに使用される。それは、ＭＡＣ又はマイクロソフトオペレーティングシステムで使用可能である。
【００７２】
ここで説明したオンラインソリューションは、上述した参照オーディオコピー防止システムの補足であると解するべきである。従って、提供される音楽ファイルの保全およびコピー防止は、最優先事項である。
【００７３】
シリアルコードの有効化に加えて、音楽ファイルのデジタル権利管理を含む好ましい実施例は、中心的役割を果たしている。音楽コンテキストにおけるこれら２つのメカニズムの機能を、以下に説明する。
【００７４】
レイヤ１：シリアルコード
中央保全データベースにおいて、各オーディオディスクは、シリアルコードに関連付けられている。このコードは、９桁の英数字の組合せでもよく、これは読み易さを良好にするために、数字の「０」および「１」文字の「Ｏ」および「Ｉ」を含んでいない。従って、３５０億以上の組合せが可能である。
【００７５】
シリアルコードの例：ＫＫ２−ＰＫ４−ＬＭＳ
ユーザが自分のシリアルコードを音楽ポータルに入力し、このコードが検証され、それが有効であれば、対応するＣＤのトラックが連なったダウンロード又はストリーミングのために提供される。
【００７６】
レイヤ２：デジタル権利管理
ユーザによりダウンロードが要求されると、音楽ファイルは各パラメータで暗号化され且つデジタル権利が供給される。このように暗号化されたファイルは、ユーザのコンピュータに適切なキーが入力されるまで再生不可能である。このキーは、数ｋＢのメモリスペースを有する暗号化されたファイルであり、消費者のＰＣのオペレーティングシステムに組み込まれている。
【００７７】
一番初め、通常はダウンロードの直後に、音楽ファイルが再生されると、インストールされたプレーヤは、キーサーバに問い合わせる。このキーサーバは、保全データベースから発行される権利を決定する。出版者は、デジタル権利管理に異なる権利を定義可能であり、例えばタイトル毎のアクセス、音楽トラック毎のアクセス又は使用期限の満了等である。
【００７８】
暗号化された音楽ファイルに含まれる情報および保全データベースにセットされた権利に基づき、キーが発生され且つインストールされたユーザのプレーヤに送られる。このキーは、ユーザのオペレーティングシステムに組み込まれている。
【００７９】
完全な権利管理手順は、ユーザに全く気付かれずに行われ且つ２〜３秒内に完了する。
【００８０】
一度各音楽ファイルに入力されたキーがあると、最早キーサーバに接続する必要はなくなる。従って、音楽ファイルがその適切なキーと共にインストールされると、オフラインで何時でも再生可能である。
【００８１】
キーがコンピュータの内部データと関連付けられているので、コピーできない。従って、この音楽ファイルは、例え転送しても、他のコンピュータ上では再生できない。更なるキーは、出版者により許可されている場合のみに、例えば３つのＰＣ（家庭のＰＣ、オフィスＰＣおよびラップトップＰＣ）に対して発行される。
【００８２】
ここに説明した音楽ポータル、即ちデータセット供給装置９に対して、発行されたキーは、一般にＣＤの全てのトラックに有効である。よって、もしキーがコンピュータに入力されると、このＣＤの各オンライントラックは、別のキーを必要とすることなく直ちにオフラインで再生可能である。
【００８３】
このコピー防止システムの最も重要な仕様は、音楽ファイルを転送することが不可能であるということである。音楽ファイルの権利を更に詳細に規定できる多くの更なる特徴を有する。
【００８４】
次のリストは、詳細に入り込むことのない最も重要なデジタル権利可能性の幾つかの概要である。
【００８５】
‐再生を可能にする日付の制限
オフラインで動作し、システムクロックが前の日にセットされると同期される
‐再生回数の制限
オフラインで動作する
‐ポータブルプレーヤにファイルをコピーする権利
‐ポータブルプレーヤにコピー回数の制限
更なる応用領域は、ラジオ放送局へのプレリリースである。かかるプレリリースは、デジタル権利管理システムで保護可能である。保護されたプレリリースは、ＣＤ−Ｒで出版されるか又は例えば固有な９桁のコードであるシリアルコードと組み合わせてダウンロード用に提供される。出版者は、開始日および失効日又は、例えば最大使用数が規定可能である。
【００８６】
従って、音楽リリースは、異なる複数のラジオ局に対して同時に配布可能であり、従って、ラジオ局に異なる開始日を与えられる。ここに説明するメカニズムにより、出版者は、各ラジオ局に対して個別に分単位で開始日を調整できる。
【００８７】
上述の如く、シリアルコードはＣＤ又はＤＶＤで供給されるので、このＣＤ又はＤＶＤを購入した顧客のみがオンラインファイルにアクセス可能である。将来のオプションとして、シリアルコードを購入するオンラインショップと組合せを確立することが可能である。これにより、顧客がＣＤやＤＶＤを購入することなく、音楽のダウンロードの購入が可能になる。勿論、全ての他の記録媒体も本発明に適用可能である。
【００８８】
違法に取得したシリアルコードで音楽ファイルを違法ユーザがダウンロードできるかも知れない。しかし、違法ユーザが、ダウンロードされた歌の１つを再生しようとすると、システムはこれらファイルのキーが他のユーザに発行済みであることを認識し、ファイルの再生を拒否する。
【００８９】
音楽ファイルのストリーミングさえも、デジタル権利管理と共に提供され、流用されるシリアルコードによるストリーミングを拒絶可能である。
【図面の簡単な説明】
【００９０】
【図１】本発明の例示的な実施例による方法、装置および記録搬送担体を説明するシーケンス図であって、顧客に購入されたコピー防止された記録搬送担体のコンテンツをパーソナルコンピュータに提供する上体を示す図である。
【符号の説明】
【００９１】
１  オーディオＣＤ（データ搬送担体）、２  ユーザＰＣ、３  シリアルコード受け取り手段、４  検証手段、５  アクセス手段、６  データベース、７  出力手段、８  暗号化手段、９  データセット供給装置
【図１】
2005518056.tif 000003
【国際調査報告】
2005518056.tif 000004
2005518056.tif 000005